(57)【要約】【課題】  被写体の全周を撮影するに当たりカメラの位置、角度、被写体までの距離、撮影位置、撮影方向が正確に決まらないため、撮影自体に精度が出ない。あるいは、撮影に再現性がない。【解決手段】  被写体用の椅子と、被写体の回りを回転するカメラと、カメラを固定するカメラ固定部と、カメラ固定部を保持及び回転させる回転機構部と、カメラの回転操作及び撮影操作を行う操作パネルと、カメラの制御を行う制御部と、から構成され、カメラの取り付け位置、取り付け角度が任意に設定でき、カメラが回転しながら任意の場所での撮影が可能であり、カメラの撮影回数、撮影タイミング及びカメラの回転速度、回転方向が任意に設定できる装置を提供する。【選択図】  図１
2005316051.tif 000002
【特許請求の範囲】
【請求項１】
被写体用の椅子と、被写体の回りを回転するカメラと、カメラを固定するカメラ固定部と、カメラ固定部を保持及び回転させる回転機構部と、カメラの回転操作を行う操作パネルと、カメラの制御を行う制御部と、から構成されたカメラ回転装置において、少なくとも１台の立体カメラがカメラ固定部に取り付けられ、その撮影位置が任意に設定できる上下位置設定手段を有し、且つ被写体に対するカメラアングル、及び被写体とカメラまでの距離を任意に設定できることを特徴としたカメラ回転装置。
【請求項２】
前記カメラが回転しながら任意の場所での撮影が可能であり、前記制御部が前記カメラの撮影回数、撮影タイミング及び前記カメラの回転速度、回転方向を任意に設定できることを特徴とした請求項１に記載のカメラ回転装置。
【請求項３】
前記カメラの着脱が可能であり、前記カメラが、立体カメラのみならずフィルム式カメラ、デジタルカメラ及びＣＣＤカメラであることを特徴とした請求項１及び請求項２に記載のカメラ回転装置。
【請求項４】
前記回転機構部がアーム状の一端にカメラを固定し、他端を回転中心として回転させるアーム方式または、ドラム状のものにカメラを固定して、そのドラムを回転させるドラム方式であることを特徴とした請求項１及び請求項２及び請求項３に記載のカメラ回転装置。
【発明の詳細な説明】
【技術分野】
【０００１】
本発明は、被写体の回りを回転するカメラ回転装置に関する。
【０００２】
さらに詳しくは、被写体用の椅子と、被写体の回りを回転するカメラと、カメラを固定するカメラ固定部と、カメラ固定部を保持及び回転させる回転機構部と、カメラの回転操作を行う操作パネルと、カメラの制御を行う制御部と、から構成され、カメラの取り付け位置、取り付け角度が任意に設定でき、カメラが回転しながら任意の場所での撮影が可能であり、カメラの撮影回数、撮影タイミング及びカメラの回転速度、回転方向が任意に設定できるカメラ回転装置に関する。
【背景技術】
【０００３】
美容整形、あるいは整形外科の分野において、現在手術前と術後で自身の状態を見ることは当然の事となっており、その環境は整っている。例えば、顔面の表示において現状は、モニター上で術前あるいは術後の顔の正面、または側面の状態を撮影したものを表示して見る事が出来る。これは平面像で表示され立体像での表示は、ほとんどないのが現状である。また撮影方向も正面と側面の２方向だけであり全方向から撮影された画像を表示できるものはない。また、正面及び側面の撮影も水平方向からの撮影だけである。このような現状から立体像の撮影、全方向からの撮影、あるいは撮影方向が水平方向だけでなくあらゆる角度から撮影することができ、且つ撮影自体の精度及び撮影の再現性のある装置が望まれる。
【発明の開示】
【発明が解決しようとする課題】
【０００４】
本発明は、以上の状況を鑑みなされたもので、その解決しようとする課題は、以下の通りである。被写体の全周を撮影するに当たりカメラの位置、角度、被写体までの距離、撮影場所（方向）が正確に決まらないため、撮影自体に精度が出ない。あるいは撮影の再現性がないという問題がある。
【課題を解決するための手段】
【０００５】
被写体用の椅子と、被写体の回りを回転するカメラと、カメラを固定するカメラ固定部と、カメラ固定部を保持及び回転させる回転機構部と、カメラの回転操作を行う操作パネルと、カメラの制御を行う制御部と、から構成され、カメラの取り付け位置、取り付け角度が任意に設定でき、カメラが回転しながら任意の場所での撮影が可能であり、カメラの撮影回数、撮影タイミング及びカメラの回転速度、回転方向が任意に設定できるカメラ回転装置を提供する。
【発明の効果】
【０００６】
被写体の全周撮影が簡単に行うことができ、しかも精度の高い撮影ができる。また容易に再現性のある撮影及び撮影データの取得が可能であり、短時間であらゆる場所での撮影が可能となる。また、カメラの撮影角度、カメラの取り付け位置が任意に設定でき、カメラの撮影回数、撮影タイミング及びカメラの回転速度、回転方向の設定が容易にできることである。
【発明を実施するための最良の形態】
【０００７】
被写体用の椅子と、被写体の回りを回転するカメラと、カメラを固定するカメラ固定部と、カメラ固定部を保持及び回転させる回転機構部と、カメラの回転操作を行う操作パネルと、カメラの制御を行う制御部と、から構成され、カメラの取り付け位置、取り付け角度が任意に設定でき、カメラの撮影回数、撮影タイミング及びカメラの回転速度、回転方向が任意に設定できる。
【実施例】
【０００８】
以下実施例に基づいて説明する。図１は、本発明に係るカメラ回転装置の正面図、平面図及び側面図の１例を示す。図２(a)〜(c)は、本発明に係るカメラの取り付けの種類と撮影方向を示した図である。また図２(d)は、カメラの上下位置設定手段と、その前後動作を示した図である。図３は、カメラ固定部４にカメラ２を取り付けた詳細図である。また図４は、本発明に係るカメラの撮影位置を表した図である。図５は、本発明に係る操作パネル５の正面図の１例を示す。図６は、本発明に係る装置のブロック図の１例である。図１に示すカメラ回転装置は、アーム１、カメラ２、椅子３、カメラ固定部４、操作パネル５、本体枠６、制御部７及び上下位置設定手段８から構成されており、カメラ固定部４にカメラ２が取り付けられアーム１によって支持されており、アーム１は、本体枠６の中央を回転中心として椅子３の回りを約３５０°（第一原点−第二原点間）回転する。所謂、被写体の回りを回転することになる。図２より、カメラ２は、カメラ固定部４を変更することにより、いろいろな種類の取り付け位置が可能となり、その撮影方向も任意に設定することができる。またカメラ固定部４の撮影位置は、上下位置設定手段８により任意に調整できるようになっており、被写体までの距離も調整可能となっている。図３よりカメラ２は、カメラ固定部４に固定され、カメラ２の撮影角度は、図３(b)からわかるように目盛９により簡単に、しかも任意に設定できる構造になっている。またカメラ２の着脱は自在に行うことができ、カメラ２の撮影回数、撮影タイミング及び回転速度は、制御部７により任意に設定できる。図４は、カメラ２が回転しながら４５°毎に８カ所で撮影することを示している。尚、この撮影は、８カ所に限らず任意の位置で行うことができる。図５は、カメラ２の回転操作を行うための操作パネル５であり、カメラ２の回転方向の選択及び回転のスタート／ストップを行う。
【図面の簡単な説明】
【０００９】
【図１】本発明に係るカメラ回転装置本体の正面図、平面図及び側面図である。
【図２】図２(a)〜(c)は、本発明に係るカメラの取り付け位置の種類と撮影方向を示した図である。図２(d)は、カメラの上下位置設定手段と、その前後動作を示した図である。
【図３】本発明に係るカメラの取り付け状態を示した詳細図である。
【図４】本発明に係るカメラの撮影位置を表した図である。
【図５】本発明に係る操作パネル図である。
【図６】本発明に係る装置のブロック図である。
【符号の説明】
【００１０】
１  アーム             
２  カメラ
３  椅子
４  カメラ固定部
５  操作パネル
６  本体枠
７  制御部
８  上下位置設定手段
９  目盛
【図１】
2005316051.tif 000003
【図２】
2005316051.tif 000004
【図３】
2005316051.tif 000005
【図４】
2005316051.tif 000006
【図５】
2005316051.tif 000007
【図６】
2005316051.tif 000008